(57)【要約】【課題】シール部材によって封止されている吸収性物品包装体において、シール部材を剥がす際に皺が形成されることを抑制する。【解決手段】  複数の吸収性物品（２０）と袋部材（３０）とシール部材（４０）とを有する吸収性物品包装体（１０）であって、シール部材（４０）を袋部材（３０）から分離することにより開口部（３１）が形成されるように構成されており、シール部材（４０）は袋部材（３０）から分離する際に引っ張られる方向である引っ張り方向の一方側につまみ部（４１）を有し、シール部材（４０）のうち袋部材（３０）から分離しない部分に、単位面積あたりの接着力が最も強い第１接着領域（１４１）を有し、シール部材（４０）のうち袋部材（３０）から分離する部分、且つ、引っ張り方向においてつまみ部（４１）よりも他方側の部分に、単位面積あたりの接着力が第１接着領域（１４１）よりも弱い第２接着領域（１４２）を有する。【選択図】図７
2020059545.tif 000002
【特許請求の範囲】
【請求項１】
複数の吸収性物品と、前記複数の吸収性物品を収容する袋部材と、少なくとも一部分が前記袋部材から分離可能に設けられたシール部材と、を有する吸収性物品包装体であって、
前記袋部材は、開口部を規定する開口規定部を有し、
前記シール部材は、前記開口規定部を覆うように前記袋部材に接着されており、
前記シール部材の前記一部分を前記袋部材から分離することにより前記開口規定部が破断されて前記開口部が形成されるように構成されており、
前記シール部材は、前記袋部材から分離する際に引っ張られる方向である引っ張り方向の一方側につまみ部を有し、
前記シール部材のうち、前記開口部が形成される際に前記袋部材から分離しない部分に、前記シール部材と前記袋部材との単位面積あたりの接着力が最も強い第１接着領域を有し、
前記シール部材のうち、前記開口部が形成される際に前記袋部材から分離する前記一部分、且つ、前記引っ張り方向において前記つまみ部よりも他方側の部分に、前記シール部材と前記袋部材との単位面積あたりの接着力が前記第１接着領域よりも弱い第２接着領域を有する、
ことを特徴とする吸収性物品包装体。
【請求項２】
請求項１に記載の吸収性物品包装体であって、
前記引っ張り方向において、前記開口規定部の前記一方側の端よりも前記一方側の領域に前記第２接着領域が設けられている、ことを特徴とする吸収性物品包装体。
【請求項３】
請求項１に記載の吸収性物品包装体であって、
前記引っ張り方向において、前記開口規定部の前記一方側の端よりも前記他方側の領域に前記第２接着領域が設けられている、ことを特徴とする吸収性物品包装体。
【請求項４】
請求項１〜３のいずれか１項に記載の吸収性物品包装体であって、
前記つまみ部において、前記シール部材と前記袋部材との単位面積あたりの接着力は、前記第２接着領域よりも弱い、ことを特徴とする吸収性物品包装体。
【請求項５】
請求項１〜４のいずれか１項に記載の吸収性物品包装体であって、
前記第２接着領域のうち少なくとも一部は、前記引っ張り方向において、前記シール部材のうち前記開口部が形成される際に前記袋部材から分離しない部分と、分離する部分とに跨っている、ことを特徴とする吸収性物品包装体。
【請求項６】
請求項５に記載の吸収性物品包装体であって、
前記引っ張り方向と交差する左右方向を有し、
前記開口規定部は、前記引っ張り方向の前記一方側に凸となる曲線部分を有しており、
前記シール部材のうち前記開口部が形成される際に前記袋部材から分離しない部分と、前記第２接着領域とが重複する部分の前記引っ張り方向における長さは、前記左右方向の中央において最も長い、ことを特徴とする吸収性物品包装体。
【請求項７】
請求項６に記載の吸収性物品包装体であって、
前記曲線部分は、前記左右方向の中央から両端部にかけて一定の曲率を有している、ことを特徴とする吸収性物品包装体。
【請求項８】
請求項１〜７のいずれか１項に記載の吸収性物品包装体であって、
前記引っ張り方向と交差する左右方向を有し、
前記開口規定部は、前記左右方向の両側に、前記引っ張り方向に沿った直線部を有する、ことを特徴とする吸収性物品包装体。
【請求項９】
請求項８に記載の吸収性物品包装体であって、
前記吸収性物品包装体の上面となる部分に前記直線部を有する、ことを特徴とする吸収性物品包装体。
【請求項１０】
請求項１〜９のいずれか１項に記載の吸収性物品包装体であって、
前記シール部材のうち、前記引っ張り方向において、前記開口規定部の前記他方側の端よりも前記他方側の領域における単位面積当たりの接着力は、前記第１接着領域の接着力と同じである、ことを特徴とする吸収性物品包装体。
【請求項１１】
請求項１〜１０のいずれか１項に記載の吸収性物品包装体であって、
前記引っ張り方向と交差する左右方向を有し、
前記シール部材の前記左右方向の両端部、且つ、前記引っ張り方向の上流側部の端縁における曲率は、
前記つまみ部の端縁における曲率よりも大きい、ことを特徴とする吸収性物品包装体。
【請求項１２】
請求項１〜１１のいずれか１項に記載の吸収性物品包装体であって、
前記第２接着領域は、前記シール部材の厚さ方向の一方側に設けられた接着剤と、前記接着剤よりも前記厚さ方向の前記一方側に設けられた接着力低減材とを有する、ことを特徴とする吸収性物品包装体。
【請求項１３】
請求項１〜１２のいずれか１項に記載の吸収性物品包装体であって、
前記シール部材の剛性は、ＪＩＳ  Ｌ１０９６：２０１０に規定されたガーレー法に基づいて測定した場合に、０．３０ｍＮ以上、１．７０ｍＮ以下である、ことを特徴とする吸収性物品包装体。
【発明の詳細な説明】
【技術分野】
【０００１】
本発明は、吸収性物品包装体に関する。
【背景技術】
【０００２】
生理用ナプキン等の吸収性物品が複数内包されている吸収性物品包装体として、特許文献１には、ナプキンを取り出すための開口部と、開口部を覆うように設けられたラベルシールとを有し、ラベルシールによって開口部を再封止できる包装体が開示されている。
【先行技術文献】
【特許文献】
【０００３】
【特許文献１】中国実用新案公告第２４８１３１２号明細書
【発明の概要】
【発明が解決しようとする課題】
【０００４】
吸収性物品包装体を開封して、内包されている吸収性物品を取り出す際には、開口部を覆うように接着されているラベルシール（シール部材）の一部分を引っ張って剥がすことにより開口部を露出させ、露出した開口部から吸収性物品が取り出される。しかし、従来の吸収性物品包装体においては、ラベルシールを引っ張るときに、ラベルシールに歪が生じやすく、そのような歪が生じた部分に皺が形成されてしまう場合があった。そして、ラベルシールの表面に皺が形成された場合、開口部を隙間なく再封止することが難しくなり、吸収性物品の衛生を保ち難くなるおそれがあった。
【０００５】
本発明は、上記のような問題に鑑みてなされたものであって、その目的は、シール部材によって封止されている吸収性物品包装体において、シール部材を剥がす際に皺が形成されることを抑制することにある。
【課題を解決するための手段】
【０００６】
上記目的を達成するための主たる発明は、複数の吸収性物品と、前記複数の吸収性物品を収容する袋部材と、少なくとも一部分が前記袋部材から分離可能に設けられたシール部材と、を有する吸収性物品包装体であって、前記袋部材は、開口部を規定する開口規定部を有し、前記シール部材は、前記開口規定部を覆うように前記袋部材に接着されており、前記シール部材の前記一部分を前記袋部材から分離することにより前記開口規定部が破断されて前記開口部が形成されるように構成されており、前記シール部材は、前記袋部材から分離する際に引っ張られる方向である引っ張り方向の一方側につまみ部を有し、前記シール部材のうち、前記開口部が形成される際に前記袋部材から分離しない部分に、前記シール部材と前記袋部材との単位面積あたりの接着力が最も強い第１接着領域を有し、前記シール部材のうち、前記開口部が形成される際に前記袋部材から分離する前記一部分、且つ、前記引っ張り方向において前記つまみ部よりも他方側の部分に、前記シール部材と前記袋部材との単位面積あたりの接着力が前記第１接着領域よりも弱い第２接着領域を有する、ことを特徴とする吸収性物品包装体である。
本発明の他の特徴については、本明細書及び添付図面の記載により明らかにする。
【発明の効果】
【０００７】
本発明によれば、シール部材によって封止されている吸収性物品包装体において、シール部材を剥がす際に皺が形成されることを抑制することができる。
【図面の簡単な説明】
【０００８】
【図１】吸収性物品包装体１０の概略斜視図である。
【図２】吸収性物品包装体１０を開封した状態の図である。
【図３】吸収性物品２０を示す斜視図である。
【図４】図１の吸収性物品包装体１０について、シール部材４０を透視した状態について表す概略斜視図である。
【図５】シール部材４０及び開口規定部３２（ミシン目３２）の配置について説明する平面図である。
【図６】図６Ａ及び図６Ｂは、引っ張り方向に引っ張られる際に、シール部材４０に作用する力について説明する図である。
【図７】シール部材４０に設けられた接着部１４０について説明する図である。
【図８】図８Ａ〜図８Ｃは、シール部材４０に塗布される接着力低減材ｒｄの配置例を示す図である。
【図９】第１接着領域１４１及び第２接着領域１４２の変形例について表す平面図である。
【発明を実施するための形態】
【０００９】
本明細書及び添付図面の記載により、少なくとも以下の事項が明らかとなる。  
複数の吸収性物品と、前記複数の吸収性物品を収容する袋部材と、少なくとも一部分が前記袋部材から分離可能に設けられたシール部材と、を有する吸収性物品包装体であって、前記袋部材は、開口部を規定する開口規定部を有し、前記シール部材は、前記開口規定部を覆うように前記袋部材に接着されており、前記シール部材の前記一部分を前記袋部材から分離することにより前記開口規定部が破断されて前記開口部が形成されるように構成されており、前記シール部材は、前記袋部材から分離する際に引っ張られる方向である引っ張り方向の一方側につまみ部を有し、前記シール部材のうち、前記開口部が形成される際に前記袋部材から分離しない部分に、前記シール部材と前記袋部材との単位面積あたりの接着力が最も強い第１接着領域を有し、前記シール部材のうち、前記開口部が形成される際に前記袋部材から分離する前記一部分、且つ、前記引っ張り方向において前記つまみ部よりも他方側の部分に、前記シール部材と前記袋部材との単位面積あたりの接着力が前記第１接着領域よりも弱い第２接着領域を有する、ことを特徴とする吸収性物品包装体である。
【００１０】
このような吸収性物品包装体によれば、シール部材が袋部材から分離する部分の接着力が弱いため、開封時にシール部材を引き剥がす際に大きな引っ張り力をかける必要がなく、シール部材に歪が生じ難くなる。これにより、シール部材に皺が形成されることを抑制することができる。
【００１１】
かかる吸収性物品包装体であって、前記引っ張り方向において、前記開口規定部の前記一方側の端よりも前記一方側の領域に前記第２接着領域が設けられている、ことが望ましい。
【００１２】
このような吸収性物品包装体によれば、シール部材が袋部材から最初に剥がれて行く領域における接着力が弱くなっていることにより、吸収性物品包装体を開封する際にシール部材が袋部材から剥がれやすくなり、歪が形成され難くなる。これにより、シール部材に皺が形成されることをより抑制しやすくなる。
【００１３】
かかる吸収性物品包装体であって、前記引っ張り方向において、前記開口規定部の前記一方側の端よりも前記他方側の領域に前記第２接着領域が設けられている、ことが望ましい。
【００１４】
このような吸収性物品包装体によれば、開口規定部が破断して開口部が形成されて行く領域における接着力が弱くなっていることにより、吸収性物品包装体を開封する際に開口規定部を破断させるために要する力を小さくすることができる。つまり、過度な引っ張り力が作用しないため、シール部材に皺が形成されることをより抑制しやすくなる。
【００１５】
かかる吸収性物品包装体であって、前記つまみ部において、前記シール部材と前記袋部材との単位面積あたりの接着力は、前記第２接着領域よりも弱い、ことが望ましい。
【００１６】
このような吸収性物品包装体によれば、シール部材が袋部材に接着された状態であってもつまみ部を摘みやすくなり、シール部材を引き剥がしやすくすることができる。
【００１７】
かかる吸収性物品包装体であって、前記第２接着領域のうち少なくとも一部は、前記引っ張り方向において、前記シール部材のうち前記開口部が形成される際に前記袋部材から分離しない部分と、分離する部分とに跨っている、ことが望ましい。
【００１８】
このような吸収性物品包装体によれば、開口部が形成される際には、引っ張り方向に沿って分離部から開口規定部を跨いで非分離部へとシール部材が引っ張られるため、分離部と非分離部との境界において接着力が急激に変動しないようすることで、開封動作時にシール部材に皺が形成されることを抑制できる。
【００１９】
かかる吸収性物品包装体であって、前記引っ張り方向と交差する左右方向を有し、前記開口規定部は、前記引っ張り方向の前記一方側に凸となる曲線部分を有しており、前記シール部材のうち前記開口部が形成される際に前記袋部材から分離しない部分と、前記第２接着領域とが重複する部分の前記引っ張り方向における長さは、前記左右方向の中央において最も長い、ことが望ましい。
【００２０】
このような吸収性物品包装体によれば、開口規定部は、左右方向の中央において引っ張り方向と交差しているため、該開口規定部を破談させるためには、左右方向の中央部ほど大きな力を作用させる必要がある。そこで、左右方向の中央部において接着力の弱い領域を大きくすることにより、開封動作時にシール部材が簡単に剥がれやすくなり、皺が形成されることをより抑制しやすくすることができる。
【００２１】
かかる吸収性物品包装体であって、前記曲線部分は、前記左右方向の中央から両端部にかけて一定の曲率を有している、ことが望ましい。
【００２２】
このような吸収性物品包装体によれば、開口規定部を破断させて開口部を形成する際に、引っ張り方向に対して、開口規定部が破断する方向が曲線部分に沿って徐々に変動して行く。このとき、曲線部分の曲率が一定であることにより、引っ張り方向に対する開口規定部の破断方向の変動割合が一定となり、開口規定部を滑らかに破断させやすくなる。したがって、余計な力が作用し難く、シール部材に皺が形成されることを抑制しやすくなる。
【００２３】
かかる吸収性物品包装体であって、前記引っ張り方向と交差する左右方向を有し、前記開口規定部は、前記左右方向の両側に、前記引っ張り方向に沿った直線部を有する、ことが望ましい。
【００２４】
このような吸収性物品包装体によれば、直線部では、シール部材が引っ張られる方向と、開口規定部の破断方向とが揃っているため、シール部材を引き剥がして開口部を形成する際に、無理な力がかかり難い。したがって、シール部材に皺が形成されることを抑制しやすくなる。
【００２５】
かかる吸収性物品包装体であって、前記吸収性物品包装体の上面となる部分に前記直線部を有する、ことが望ましい。
【００２６】
このような吸収性物品包装体によれば、上面側では、引っ張り方向に沿ってシール部材を鉛直上側に引っ張る力と前後方向の後側に引っ張る力とが作用して力が分散するおそれがある。そこで、上側面において開口規定部を前後方向に沿った直線として破断させやすることにより、皺が形成されることを抑制しつつ、吸収性物品包装体を開封しやすくすることができる。
【００２７】
かかる吸収性物品包装体であって、前記シール部材のうち、前記引っ張り方向において、前記開口規定部の前記他方側の端よりも前記他方側の領域における単位面積当たりの接着力は、前記第１接着領域の接着力と同じである、ことが望ましい。
【００２８】
このような吸収性物品包装体によれば、吸収性物品包装体を開封する際にシール部材を引き剥がす終端となる部分であり、且つ、吸収性物品包装体を再封止する際に支点となる部分において接着力が最も強くなる。これにより、シール部材が袋部材から離脱してしまうことが抑制され、開封及び再封止の動作を安定して行うことができる。
【００２９】
かかる吸収性物品包装体であって、前記引っ張り方向と交差する左右方向を有し、前記シール部材の前記左右方向の両端部、且つ、前記引っ張り方向の上流側部の端縁における曲率は、前記つまみ部の端縁における曲率よりも大きい、ことが望ましい。
【００３０】
このような吸収性物品包装体によれば、シール部材の角部において端縁部をカーブさせて引っ張り方向に沿いやすくすることにより、左右方向の内側に作用する力よりも引っ張り方向に作用する力の影響が大きくなるようにする。これにより、シール部材の角部において歪が生じ難くなり、皺を形成させ難くすることができる。
【００３１】
かかる吸収性物品包装体であって、前記第２接着領域は、前記シール部材の厚さ方向の一方側に設けられた接着剤と、前記接着剤よりも前記厚さ方向の前記一方側に設けられた接着力低減材とを有する、ことが望ましい。
【００３２】
このような吸収性物品包装体によれば、接着力低減材の配置や塗布量を調整することにより、第２接着領域全体の単位面積当たりの接着力を自在に調整しつつ、シール部材に皺を形成させることなくスムーズに引き剥がしやすくすることができる。
【００３３】
かかる吸収性物品包装体であって、前記シール部材の剛性は、ＪＩＳ  Ｌ１０９６：２０１０に規定されたガーレー法に基づいて測定した場合に、０．３０ｍＮ以上、１．７０ｍＮ以下である、ことが望ましい。
【００３４】
このような吸収性物品包装体によれば、シール部材の開封・再封止を行いやすく、且つ、シール部材を剥がす際には皺が形成されにくく、再封止する際には密閉性を担保しやすくすることができる。
＝＝＝実施形態＝＝＝
【００３５】
＜吸収性物品包装体１０の基本構成＞
図１は、吸収性物品包装体１０の概略斜視図であり、図２は、吸収性物品包装体１０を開封した状態の図である。図３は、本実施形態に係る吸収性物品２０を示す斜視図である。図４は、図１の吸収性物品包装体１０について、シール部材４０を透視した状態について表す概略斜視図である。
【００３６】
吸収性物品包装体１０は、図１及び図２に示すように、複数の吸収性物品２０と、複数の吸収性物品２０を収容するための袋部材３０と、シール部材４０とを有している。また、吸収性物品包装体１０は、互いに交差する上下方向、前後方向及び左右方向を有する。上下方向において、吸収性物品２０を取り出す側を「上」とし、その反対側が「下」である。前後方向においても、吸収性物品２０を取り出す側を「前」とし、その反対側を「後」とする。
【００３７】
本実施形態に係る吸収性物品２０として生理用ナプキン（以下「ナプキン２０」という）を例に挙げて説明するが、吸収性物品２０には、生理用ナプキンに限らず、パンティーライナー、又は軽失禁用パッド等も含まれる。
【００３８】
図３に示すように、ナプキン２０は、不図示の吸収性本体が包装シート（包装材）２１によって包装された個包装体である。ナプキン２０は、製品状態（図３）において、互いに直行する横方向、縦方向及び厚さ方向を有している。本実施形態におけるナプキン２０は、展開状態において吸収性本体及び包装シート２１が厚さ方向に重ねられ、包装シート２１が外側となるように縦方向に折り畳まれている（例えば縦方向に３つ折りにされている）。そして、ナプキン２０の横方向の両端部に、包装シート２１の対向する面同士を縦方向に沿って接合させたサイドシール部２３が形成され、ナプキン２０の開封口はリードテープ２２で留められている。これにより、図３に示されるような個包装体の状態となる。包装シート２１の接合方法は、例えば、ヒートシール、超音波シール、接着剤、これらの組み合わせ等、周知の接合方法を例示できる。
【００３９】
袋部材３０は、図２に示すように複数のナプキン２０を収容している。袋部材３０において、各ナプキン２０は、ナプキン２０の横方向の両端部にあるサイドシール部２３が袋部材３０の左右方向の両側部に沿うように挿入される。また、複数のナプキン２０は、袋部材３０の前後方向に並ぶように収容される。その際、各ナプキン２０は、リードテープ２２が留められている面が袋部材３０の後側を向くように挿入される。
【００４０】
また、図４に示すように、吸収性物品包装体１０を最初に開封する前の状態において、袋部材３０は、図２に示す開口部３１を規定するためのミシン目等の開口規定部３２（以下「ミシン目３２」）を有している。図４においては、便宜的にシール部材４０の範囲を二点鎖線で示し、ミシン目３２（点線部分）の位置を分かりやすくするために、シール部材４０を透視して示している。ミシン目３２は、シール部材４０の外縁よりも内側に位置しているため、ミシン目３２の全体がシール部材４０によって覆われる構成となっている。
【００４１】
図４から分かるように、シール部材４０は、吸収性物品包装体１０の上面の少なくとも一部を覆い、さらに吸収性物品包装体１０の前面の少なくとも一部を覆うように設けられている。すなわち、シール部材４０は、吸収性物品包装体１０の上面と前面の境界を跨ぐように設けられる。シール部材４０には、つまみ部４１が設けられており、使用者は、つまみ部４１を摘まんで引っ張ることにより、吸収性物品包装体１０を開封及び再封止しやすくなる。
【００４２】
＜吸収性物品包装体１０の開封について＞
続いて、吸収性物品包装体１０を開封する際の動作について説明する。図５はシール部材４０及び開口規定部３２（ミシン目３２）の配置について説明する平面図である。シール部材４０は厚さ方向の一方側の面（袋部材３０と対向する側の面）に接着部１４０を有しており、該接着部１４０を介して、袋部材３０に接着（貼着）されている。図５では、シール部材４０が開口規定部３２を覆うように袋部材３０に接着された状態について、平面的に示している。なお、接着部１４０の詳細については後述する。
【００４３】
また、シール部材４０を袋部材３０から分離する際に、該シール部材４０が引っ張られる方向を「引っ張り方向」とする。すなわち、引っ張り方向は、吸収性物品包装体１０（袋部材３０）の上下方向、及び、前後方向に沿った方向である。そして、引っ張り方向の一方側（上流側）には、上述したつまみ部４１が設けられている。
【００４４】
吸収性物品包装体１０の初回開封時において、使用者は、シール部材４０のつまみ部４１をつまみ、引っ張り方向の上流側から下流側に向かってシール部材４０を部分的に引き剥がすようにする。例えば、図５においては、シール部材４０が上下方向の下側から上側に向かって徐々に剥がれされる。このとき、シール部材４０の引き剥がしが、ミシン目３２上で引っ張り方向の最上流側に位置する点Ａに達するまでは、シール部材４０のみが袋部材３０から分離して行く。そして、シール部材４０の引き剥がしが点Ａに到達すると、ミシン目３２の破断が始まり、袋部材３０のうちミシン目３２によって囲まれた内側の部分が、シール部材４０に付着したまま一緒に袋部材３０から分離して行く。
【００４５】
つまり、シール部材４０のうち、ミシン目３２よりも外側の領域（図５において網掛けで表示されている領域）は、シール部材４０が袋部材３０から分離して剥がれされる部分である。この領域を分離部４５とする。一方、ミシン目３２の内側に囲まれた領域（及び、引っ張り方向においてミシン目３２よりも下流側の領域）は、シール部材４０と袋部材３０とが分離しない部分である。この領域を非分離部４６とする。
【００４６】
このように、シール部材４０（つまみ部４１）が引っ張り方向に引っ張られることによって、袋部材３０の前面及び上面において、破断したミシン目３２が開口部３１となり、使用者は、開口部３１からナプキン２０を取り出すことができる（図２参照）。また、吸収性物品包装体１０を一度開封した後も、シール部材４０によって開口部３１を覆い、接着部１４０を介してシール部材４０を袋部材３０に再度貼着させることにより、開口部３１を再封止することができる。これにより、開封及び再封止を繰り返し行うことが可能となり、包装体１０の開封後もナプキン２０を清潔に保つことができる。
【００４７】
しかしながら、このような開封動作や再封止動作を繰り返すうちに、シール部材に皺が形成されてしまい、しっかりと再封止を行うことが難くなる場合がある。図６Ａ及び図６Ｂは、引っ張り方向に引っ張られる際に、シール部材４０に作用する力について説明する図である。
【００４８】
上述したように、吸収性物品包装体１０を開封する際には、先ず、シール部材４０のつまみ部４１が引っ張り方向の上流側から下流側に向かって引っ張られる。すると、図６Ａのように、シール部材４０と袋部材３０との境界部Ｌ１に対して、引っ張り方向下流側へ向かう力Ｆ１が作用する。そして、当該引っ張り方向下流側へ向かう力Ｆ１によって袋部材３０に接合（貼着）されていたシール部材４０のうち分離部４５が徐々に剥がれて行く。
【００４９】
そのまま、つまみ部４１が引っ張り方向の下流側に引っ張られると、図６Ｂのようにシール部材４０と袋部材３０との境界部Ｌ２が左右方向に広がって行き、この境界部Ｌ２に対して引っ張り方向下流側へ向かう力Ｆ２が作用する。このとき、境界部Ｌ２の左右方向の両端部Ｌ２ｓ、Ｌ２ｓでは、引っ張り方向下流側、且つ、左右方向に内側に向かう力Ｆ２’が作用する。つまり、シール部材４０と袋部材３０との境界部分Ｌ２は左右方向の両端部Ｌ２ｓ、Ｌ２ｓにおいて、斜め方向に引っ張られる状態となる。したがって、シール部材４０は、左右方向の両端部Ｌ２ｓ、Ｌ２ｓにおいて引っ張り方向とは異なる方向にも引っ張られることとなる。その結果、当該部分において歪が生じ、シール部材４０に皺が形成されてしまうおそれがある。特に、シール部材４０の分離部４５を袋部材３０から分離させるために大きな力で引っ張る必要がある場合には、歪が大きくなり、皺が形成されやすくなる。
【００５０】
また、袋部材３０がビニル樹脂等の柔らかく変形しやすい素材によって形成されている場合には、シール部材４０を引き剥がす際に袋部材３０自体が変形することにより、シール部材４０に作用する引っ張り力の方向が変動しやすくなる。このような場合にも歪が生じやすくなるため、シール部材４０により皺が形成されやすくなる。
【００５１】
シール部材４０にこのような皺が形成されると、吸収性物品包装体１０を開封した後でシール部材４０によって開口部３１を再封止する際に、当該皺が形成された部分ではシール部材４０が袋部材３０と密着し難くなる。すなわち、シール部材４０と袋部材３０との間に隙間が形成されやすくなり、開口部３１がしっかりと再封止され難くなる。その結果、袋部材３０の内部に収容されたナプキン２０の衛生を保ち難くなるおそれがある。
【００５２】
これに対して、本実施形態の吸収性物品包装体１０では、シール部材４０に設けられた接着部１４０の接着力を調節することによって、シール部材４０を引き剥がす際に皺が形成されることを抑制している。具体的には、シール部材４０のうち、上述した分離部４５において、最も接着力の強い領域よりも接着力を弱くした領域を設けることにより、シール部材４０を剥がす際に歪を生じ難くし、皺が形成されることを抑制している。
【００５３】
図７は、シール部材４０に設けられた接着部１４０について説明する図である。図７の左側の図はシール部材４０の平面図を表し、右側の図はシール部材４０の断面図を表している。接着部１４０は、シール部材４０の厚さ方向の一方側の面（袋部材３０と対向する側の面）の全体に、所定の接着材ａｄを層状に塗布することによって形成されている。但し、シール部材４０のうち、つまみ部４１は、袋部材３０と接着（貼着）されていない方がつまみ易いため、接着材ａｄはつまみ部４１においては塗布されていなくてもよい。接着材ａｄとしては、例えば、市販の接着剤やホットメルト型接着剤等を使用することができる。
【００５４】
また、接着材ａｄの層の厚さ方向の一方側の面（袋部材３０と対向する側の面）の一部には、所定の接着力低減材ｒｄが部分的に塗布されており、接着材ａｄによる接着力が低減されている。図７では、接着部１４０のうち、引っ張り方向における所定位置Ｐ１よりも上流側の斜線部で示される領域に、接着材ａｄが塗布された層に重ねて、接着力低減材ｒｄが塗布されている。接着部１４０における接着力低減材ｒｄの具体的な配置については後で説明する。接着力低減材ｒｄとしては、例えばチタン粒子を含んだ透明インク等を使用することができる。
【００５５】
以下、シール部材４０に形成された接着部１４０のうち、接着材ａｄによって強い接着力を有している領域を第１接着領域１４１とし、接着剤ａｄに重ねて接着力低減材ｒｄが設けられることによって第１接着領域１４１よりも接着力が低減された領域のうち、つまみ部４１を含まない領域（つまみ部４１よりも引っ張り方向の下流側の領域）を第２接着領域１４２とする（図７参照）。すなわち、本実施形態において第１接着領域１４１は、シール部材４０と袋部材３０との単位面積あたりの接着力が最も強い領域であり、第２接着領域１４２は、シール部材４０と袋部材３０との単位面積あたりの接着力が第１接着領域１４１よりも弱い領域である。
【００５６】
このように、シール部材４０のうち、開口部３１が形成される際に袋部材３０から分離しない非分離部４６に、第１接着領域１４１が設けられていることにより、該第１接着領域１４１においてシール部材４０（非分離部４６）と袋部材３０とを剥がれ難くすることができる。したがって、吸収性物品包装体１０の開封動作においてシール部材４０の全体が袋部材３０から完全に離脱してしまうことが抑制される。一方、開口部３１が形成される際に袋部材３０から分離する分離部４５に第２接着領域１４２が設けられていることにより、該第２接着領域１４２ではシール部材４０（分離部４５）を袋部材３０から剥がれやすくすることができる。したがって、シール部材４０を引き剥がす際に大きな引っ張り力が不要となり、シール部材４０に歪が生じ難くなる。これにより、シール部材４０に皺が形成されることを抑制することができる。
【００５７】
なお、第２接着領域１４２は、引っ張り方向において、ミシン目（開口規定部）３２の最も上流側（一方側）の端（図７における点Ａ）よりも上流側（一方側）の領域に設けられていることが望ましい。この領域は、吸収性物品包装体１０を開封する際に、シール部材４０の分離部４５のうち、袋部材３０から最初に剥がれて行く領域である。したがって、当該領域に、第２接着領域１４２を設けて接着力を弱めておくことにより、シール部材４０が袋部材３０から剥がれやすくなり、歪が生じにくくなる。これにより、シール部材４０に皺が形成されることを抑制しやすくなる。
【００５８】
また、第２接着領域１４２は、引っ張り方向において、ミシン目（開口規定部）３２の最も上流側（一方側）の端（図７における点Ａ）よりも下流側（他方側）の領域に設けられていてもよい。この領域は、吸収性物品包装体１０を開封する際に、ミシン目（開口規定部）３２が破断して開口部３１が形成されて行く部分である。すなわち、シール部材４０を袋部材３０から引き剥がす力に加えてミシン目３２を破断させるための力を要する領域である。そのため、当該領域における接着力が高い場合、より大きな力でシール部材４０を引っ張る必要が生じ、シール部材に歪が生じて皺が形成されやすくなるおそれがある。そこで、当該領域における接着力を弱めておくことにより、ミシン目３２を破断する際に要する力が大きくなりすぎないようにする。これにより、シール部材４０に皺が形成されることを抑制しやすくなる。
【００５９】
本実施形態では、図７に示されるように、引っ張り方向においてミシン目（開口規定部）３２の最も上流側の端（図７における点Ａ）よりも上流側の領域及び下流側の領域の双方に第２接着領域１４２（図７における斜線部）が設けられている。したがって、シール部材４０が袋部材３０から剥がれ始めたとき、及び、ミシン目（開口規定部）３２が破断して開口部３１が形成されるときのいずれの場合についても、シール部材４０に皺が形成されることを効果的に抑制することができる。
【００６０】
なお、吸収性物品包装体１０では、つまみ部４１における単位面積当たりの接着力は、第２接着領域１４２よりもさらに弱くなっている。これにより、開口部３１がシール部材４０によって封止された状態、つまりシール部材４０の接着部１４０が袋部材３０に接着された状態であっても、袋部材３０に対するつまみ部４１の接着力を弱くすることができる。したがって、使用者は吸収性物品包装体１０を開封する際に、つまみ部４１を摘みやすくなり、シール部材４０を引き剥がしやすくすることができる。つまみ部４１における接着力を弱める方法としては、接着材ａｄの上に重ねて設けられる接着力低減材ｒｄの密度（単位面積当たりの量）を大きくしたり、つまみ部４１には接着材ａｄを塗布しないようにしたりする方法がある。
【００６１】
図８Ａ〜図８Ｃは、シール部材４０に塗布される接着力低減材ｒｄの配置例を示す図である。上述したように、第２接着領域１４２では、接着剤ａｄに重ねて接着力低減材ｒｄを設けることにより、当該接着力低減材ｒｄが設けられた領域において接着力が低減されている。その際、接着力低減材ｒｄの配置を変更することで、第２接着領域１４２の単位面積当たりの接着力を調整することができる。
【００６２】
図８Ａでは、第２接着領域１４２において、引っ張り方向に沿った帯状の接着力低減材ｒｄの層が左右方向に複数並ぶように、接着力低減材ｒｄが配置されている。すなわち、接着剤aｄ及び接着力低減材ｒｄが引っ張り方向に沿って連続的に配置された、所謂、縦ストライプ状となっている。仮に、接着剤aｄ及び接着力低減材ｒｄが左右方向に沿って連続して配置された横ストライプとなっている場合、引っ張り方向において接着力の強い領域と弱い領域とが交互に並ぶこととなるため、シール部材４０を引き剥がす際に、接着力の強い領域で引っ掛かりやすく、シール部材４０に歪が生じて皺が形成されやすくなる。これに対して、図８Аのような縦ストライプ配置であれば、シール部材４０に皺を形成させることなくスムーズに引き剥がしやすくなる。
【００６３】
また、図８Ｂでは、第２接着領域１４２において、細かいドット状の接着力低減材ｒｄが均等に分散して配置されている。このような配置であれば、第２接着領域１４２全体に亘って接着力が均等となるため、シール部材４０を引き剥がす際に局所的に応力が集中するようなことが抑制される。また、図８Ｃでは、第２接着領域１４２の全体に接着力低減材ｒｄを配置しつつ、該接着力低減材ｒｄの密度を小さくすることにより、第２接着領域１４２における接着力を低減させている。このような場合も、第２接着領域１４２全体に亘って接着力が均等となるため、シール部材４０を引き剥がす際に局所的に応力が集中するようなことが抑制される。
【００６４】
このように、本実施形態では、接着力低減材ｒｄの配置に応じて第２接着領域１４２の形状や大きさ、を自在に調整することができる。つまり、接着力低減材ｒｄの配置や塗布量を調整することにより、第２接着領域１４２全体の単位面積当たりの接着力を自在に調整しつつ、シール部材４０に皺を形成させることなくスムーズに引き剥がしやすくすることができる。
【００６５】
なお、シール部材４０の接着力（接着強度）と、実際の剥がしやすさとの関係については、以下のような実験を実施して検証を行った。すなわち、接着力（接着強度）の異なる複数種類のシール部材４０をサンプルとして、３０名の使用者に実際に開封してもらう試験を実施し、「開けやすい／好ましい、どちらともいえない、開け難い／あまり好ましくない」の３段階で評価を行った。そして、「開けやすい／好ましい」が７０％以上となるものを適切な開封強度とした。
【００６６】
具体的な実験としては、先ず、つまみ部４１に相当する部分に、シール部材４０の破断強度よりも強く、伸長性のほとんどないアルミシートの補助つまみ（不図示）を取り付ける。次に、接着部１４０の左右方向の幅全体のシール部材４０、及びその幅に相当するパッケージ（袋部材３０）を切り出し、引張試験機（インストロン社製 引っ張り試験機）に保持させ、１８０度方向にて袋部材３０とシール部材４０との剥離を行った。そして、シール部材４０（サンプル）を所定幅だけ剥離させるのに要する力の大きさを測定し、接着強度を評価した。なお、インストロン引張試験機による試験時に試験片を保持しているチャックの移動速度は、１００ｍｍ／ｍｉｎとして測定を行った。
【００６７】
その結果、開封開始位置から引っ張り方向に２５ｍｍ分開封するまでの範囲における、シール部材４０の接着強度が３．２Ｎ／２５ｍｍ〜５．８Ｎ／２５ｍｍの場合に、「開けやすい／好ましい」の評価が７０％以上を超えた。すなわち、本実施形態の吸収性物品包装体１０において、第２接着領域１４２の接着強度が３．２Ｎ／２５ｍｍ〜５．８Ｎ／２５ｍｍが適切な接着強度であることが明らかとなった。したがって、第１接着領域１４１の接着強度は、６．０Ｎ／２５ｍｍ以上であることが望ましい。
【００６８】
また、図７に示されるように、第２接着領域１４２は、引っ張り方向において、シール部材４０が袋部材３０分離しない非分離部４６と、シール部材４０が袋部材３０から分離する分離部４５（図７における網掛け表示部）とを跨るように配置されている。すなわち、第２接着領域１４２は、引っ張り方向において開口規定部３２（ミシン目３２）の最上流側の端Ａを跨るように配置されている。吸収性物品包装体１０を開封する際には、引っ張り方向に沿って分離部４５からミシン目３２を跨いで非分離部４６へとシール部材４０が引っ張られる。このとき、非分離部４６と分離部４５との境界で接着力が急激に変化すると、ミシン目３２を破談させる力に加えて、接着部１４０を剥がすためにより大きな力が必要となり、ミシン目３２の付近に皺が生じやすくなるおそれがある。そこで、本実施形態では、引っ張り方向において、分離部４５と非分離部４６とを跨るように第２接着領域１４２を配置することで、ミシン目３２を境界として分離部４５における接着力と非分離部４６における接着力とが急激に変動しないようしている。これにより、開封動作時にシール部材４０に皺が形成されることを抑制しやすくすることができる。
【００６９】
また、開口規定部３２（ミシン目３２）は、引っ張り方向の上流側において、図７に示されるように、引っ張り方向の上流側（一方側）に凸となる略放物線状の曲線部分３２ｃを有している。そして、左右方向において中央に近い位置ほど、第２接着領域１４２と非分離部４６とが重複する部分の引っ張り方向における長さＬｓが長くなっている。言い換えると、左右方向の中央に近いほど、第２接着領域１４２と非分離部４６とが重複部分の面積が大きくなっている。ミシン目３２の曲線部分３２ｃは、左右方向の中央（点Ａ）において引っ張り方向と交差しており、左右方向の両側に行くほど徐々に引っ張り方向の成分が大きくなる放物線状である。つまり、シール部材４０を引っ張り方向に引っ張ったときに、ミシン目３２は、左右方向の両側ほど、引っ張り方向に沿って破断しやすい構造となっている。したがって、シール部材４０を引き剥がしてミシン目３２を破談させる際には、左右方向の中央部において大きな力を作用させる必要が生じる。そこで、本実施形態では、非分離部４６において左右方向の中央部ほど第２接着領域１４２の面積を大きくすることにより、ミシン目３２と引っ張り方向とが交差する領域付近（点Ａ付近）において接着力が強くならないようにしている。これにより、開封動作時にシール部材４０が簡単に剥がれやすくなり、皺が形成されることをより抑制しやすくすることができる。
【００７０】
また、ミシン目３２は、曲線部分３２ｃの左右方向の両端部に、引っ張り方向に沿った直線部分３２ｓを有している。この直線部分３２ｓでは、シール部材４０が引っ張られる方向と、ミシン目３２の破断方向とが揃っているため、シール部材４０を引き剥がして開口部３１を形成する際に、無理な力がかかり難くシール部材４０に皺が形成され難い。また、図７に示されるように、直線部分３２ｓのうち半分以上の領域は、接着部１４０のうち接着力の強い第１接着領域１４１に設けられている。第１接着領域１４１では、シール部材４０を袋部材３０から分離させるために要する力が大きいため、直線部分３２ｓにおいてミシン目３２を破断する際に要する力を小さくすることで、当該直線部分３２ｓ付近の領域に余計な力が作用し難くなり、皺を形成させ難くすることができる。
【００７１】
また、この直線部分３２ｓは、吸収性物品包装体１０の上面側に設けられていることが望ましい。図１及び図５から明らかなように、シール部材４０を引き剥がす際の引っ張り方向は、吸収性物品包装体１０の前面側においては上下方向（鉛直方向）に沿った方向であるが、吸収性物品包装体１０の上面側においては、前後方向に沿った方向である。したがって、吸収性物品を開封する際には、先ず、吸収性物品包装体１０の前面側において上下方向の上側にシール部材４０が引っ張られ、続いて吸収性物品包装体１０の上面側において前後方向の後側にシール部材４０が引っ張られる。一方、吸収性物品包装体１０の前面と上面との境界において、急に引っ張り方向を変化させることは難しく、実際には、吸収性物品包装体１０の上面側においても、シール部材４０を鉛直上側に引っ張る力が作用する。すなわち、吸収性物品包装体１０の上面側では、シール部材４０を鉛直上側に引っ張る力と、前後方向の後側に引っ張る力とが作用する。この場合、引っ張り力が分散してミシン目３２を正しく破断させることが難くなるおそれがある。そこで、本実施形態では、吸収性物品包装体１０の上面側においてミシン目３２を前後方向に沿った直線とすることで、該上側面においてミシン目３２を前後方向に破断させやすくしている。これにより、皺が形成されることを抑制しつつ、吸収性物品包装体１０を開封しやすくすることができる。
【００７２】
また、曲線部分３２ｃは、左右方向の中央から両端部にかけて一定の曲率を有している。開口部３１が形成される際には、引っ張り方向においてミシン目３２の最上流側に位置する点Ａにてミシン目３２の破断が開始された後、引っ張り方向の下流側且つ左右方向の両側へ曲線部分３２ｃに沿って、順次ミシン目３２が破断されて行く。すなわち、引っ張り方向に対して、ミシン目３２が破断する方向が徐々に変動して行く。このとき、曲線部分３２ｃの曲率が一定であることにより、引っ張り方向に対するミシン目３２の破断方向の変動割合が一定となり、ミシン目３２を滑らかに破断させやすくなる。したがって、ミシン目３２を破断させる際に余計な力が作用し難くなり、シール部材４０に皺が形成されることを抑制することができる。
【００７３】
また、図５に示されるように、シール部材４０は、左右方向の両端、且つ、引っ張り方向の上流側の角部４０ｅｃの端縁における曲率が、つまみ部４１の端縁における曲率よりも大きくなるように形成されている。すなわち、本実施形態のシール部材４０は、角部４０ｅｃ付近で端縁部の曲がり具合が大きくなるような形状を有している。図６で説明したように、吸収性物品包装体１０を開封する際に、つまみ部４１を摘まんでシール部材４０を引き剥がすときに、つまみ部４１からの左右方向における距離が遠い位置では、左右方向内側に向かう力が大きくなるため皺が形成されやすくなる。そこで、シール部材４０の角部４０ｅｃ付近では、端縁部をカーブさせて引っ張り方向に沿いやすくすることにより、左右方向の内側に作用する力よりも引っ張り方向に作用する力の影響が大きくなるようにする。これにより、シール部材４０の角部４０ｅｃにおいて歪が生じ難くなり、皺を形成させ難くすることができる。
【００７４】
また、シール部材４０のうち、引っ張り方向において、ミシン目３２の最下流側の端３２ｅよりも下流側の領域である終端部４０ｅｄにおける単位面積当たりの接着力は、少なくとも第１接着領域と同等である（図７参照）。すなわち、終端部４０ｅｄにおける単位面積当たりの接着力は、接着部１４０の中で最も強くなっている。この終端部４０ｅｄは、吸収性物品包装体１０の開封時にシール部材４０を引き剥がす終端となる部分であり、吸収性物品包装体１０を再封止する際には、該終端部４０ｅｄが支点となって、開口部３１を覆うようにシール部材４０が袋部材３０に貼着される。したがって、シール部材４０は終端部４０ｅｄにおいて袋部材３０と離脱不能に接合されている必要がある。本実施形態では、終端部４０ｅｄにおける単位面積当たりの接着力が最も大きいため、吸収性物品包装体１０の開封動作時にシール部材４０が袋部材３０から離脱してしまうことが抑制され、開封及び再封止の動作を安定して行うことができる。
【００７５】
本実施形態において、シール部材４０の具体的な剛性（剛軟度）の範囲は、０．３０〜１．７０ｍＮ／である。シール部材４０の剛性はＪＩＳ  Ｌ１０９６：２０１０に規定されている曲げ反発性Ａ法（ガーレー法）に基づいて以下のように測定を行った。先ず、シール部材４０の開封方向（引っ張り方向に相当）を長さ方向とし、それと直行する方向を幅方向として、複数種類の剛性の試験片を準備する。試験片は、長さ３８ｍ、幅２５ｍｍとして、複数の試験片を採取する。そして、ガーレー剛軟度試験器（例えば、株式会社 大栄科学精機製作所製 ガーレー剛軟度試験機）を用いて、試験片の長辺を垂直にして試験器の可動アームのチャックに取り付け、振り子には所定のおもりを取り付ける。次に、可動アームを左または右に規定の速さで回転させ、試験片下端が振り子に一度接触した後、また振り子から離れる時の目盛を読み取る。この試験を複数回繰り返し、測定値の平均から剛軟度（ガーレこわさ）を算出する。
【００７６】
その結果、シール部材４０の剛性（剛軟度）が０．３０ｍＮ未満の場合には、開封・再封止を行う際に、シール部材４０に皺が発生し易く、再封止の時に十分な密閉ができないことが確認された。一方、シール部材４０の剛性が１．７０ｍＮよりも大きい場合には、開封時に操作性が悪く、使用者に袋部材３０からナプキン２０（製品）を取り出し難い印象を与えてしまうことが確認された。本実施形態では、シール部材４０の剛性を０．３０ｍＮ以上、１．７５ｍＮ以下とすることで、開封・再封止の動作を行いやすく、且つ、皺が形成されにくく密閉性を担保しやすくすることができる。また、上述したようにナプキン２０が袋部材３０の上面側に飛び出してしまうことを抑制する蓋としての機能を持たせることもできる。
【００７７】
＜変形例＞
図７において、シール部材４０に設けられる第１接着領域１４１及び第２接着領域１４２の範囲について説明したが、第１接着領域１４１及び第２接着領域１４２は、以下のように変形することも可能である。図９は、第１接着領域１４１及び第２接着領域１４２の変形例について表す平面図である。
【００７８】
本変形例では、シール部材４０のうち、ミシン目３２よりも外側の領域である分離部４５（図９の網掛け表示部）のほぼ全域（つまみ部４１は除く）に亘って第２接着領域１４２（図９の斜線部）が設けられている。上述したように、分離部４５は、吸収性物品包装体１０の開封時にシール部材４０が袋部材３０から剥がれて分離する領域である。したがって、当該分離部４５では、シール部材４０を袋部材３０から簡単に分離させることが可能であることが望ましい。そこで、分離部４５のほぼ全域において第２接着領域１４２を設けて単位面積当たりの接着力を弱くすることにより、シール部材４０を袋部材３０から剥がしやすくすることができる。このようにすれば、シール部材４０を引き剥がす際に、シール部材４０に余計な力がかかり難くなり、皺の形成をより抑制しやすくすることができる。
＝＝＝その他の実施の形態＝＝＝
【００７９】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【００８０】
上述の実施形態では、シール部材４０に設けられる接着部１４０が、単位面積当たりの接着力が最も強い第１接着領域１４１と、第１接着領域１４１と比較して単位面積当たりの接着力が弱い第２接着領域１４２とを有する例について説明されていたが、接着部１４０の構成はこの限りではない。例えば、第１接着領域１４１及び第２接着領域１４２とは単位面積当たりの接着力が異なる他の接着領域（例えば、不図示の第３接着領域等）を有していてもよい。
【００８１】
また、上述の実施形態では、袋部材３０の開口部３１を規定する開口規定部３２において、ミシン目を例に挙げたが、何等これに限らない。例えば、開口規定部３２は、袋部材３０の外側から内側に向かって貫通しないように形成された切り込みでもよい。すなわち、使用者が初回開封時にシール部材４０を引き剥がそうとするときに、シール部材４０の粘着力によって破断される程度の脆弱な部分を開口規定部３２として袋部材３０にあらかじめ設けておけばよい。
【符号の説明】
【００８２】
１０  吸収性物品包装体、
２０  吸収性物品（生理用ナプキン）、
２１  包装シート、２２  リードテープ、２３  サイドシール部、
３０  袋部材、
３１  開口部、
３２  ミシン目（開口規定部）、３２ｃ  曲線部分、３２ｓ  直線部分、３２ｅ  端、
４０  シール部材、
４０ｅｃ  角部、４０ｅｄ  終端部、
４１  つまみ部、４５  分離部、４６  非分離部、
１４０  接着部
１４１  第１接着領域、１４２  第２接着領域、
ａｄ  接着材、ｒｄ  接着力低減材
【図１】
2020059545.tif 000003
【図２】
2020059545.tif 000004
【図３】
2020059545.tif 000005
【図４】
2020059545.tif 000006
【図５】
2020059545.tif 000007
【図６】
2020059545.tif 000008
【図７】
2020059545.tif 000009
【図８】
2020059545.tif 000010
【図９】
2020059545.tif 000011